(57)【要約】  通気性が高く、快適な睡眠を確保できる枕を提供する。  通気性を有するカバー部材２内に充填される充填材３として、三次元立体編物１１，１２を複数枚積層してなるクッション材１０を少なくとも一つ用いた構成である。三次元立体編物１１，１２を複数枚積層したものをクッション材１０として用いているため、空気は、頭部を中心とした左右及び前後方向だけでなく、上下方向にも容易に移動可能であり、高い通気性を確保できる。三次元立体編物１１，１２を備えてなるクッション材１０に、負荷の荷重変化により空気を吸引・排出可能なエアクッション２０を重ね合わせて用いると、頭部の移動により、空気が自動的に吸引・排出されるため、三次元立体編物の糸間を通過する空気流の流れを促進し、通気機能をさらに高めることができる。
2007055152.tif 000002
【特許請求の範囲】
【請求項１】
通気性を有するカバー部材と、該カバー部材内に収容される充填材とを備えてなる枕であって、
前記充填材として、三次元立体編物を複数枚積層してなるクッション材を少なくとも一つ用いたことを特徴とする枕。
【請求項２】
前記充填材として、前記三次元立体編物を複数枚積層してなる少なくとも一つのクッション材に、負荷の荷重変化により空気を吸引・排出可能な少なくとも一つのエアクッションを重ね合わせて用いたことを特徴とする請求項１記載の枕。
【請求項３】
前記三次元立体編物を複数枚積層してなるクッション材は、厚み方向に押圧した際のバネ定数が異なるもの同士を積層して形成されていることを特徴とする請求項１又は２記載の枕。
【請求項４】
前記エアクッションは、空気を吸引・排出する空気の流出入口を備えた空気袋本体と、前記空気袋本体内に配置される三次元立体編物とを備えて構成されることを特徴とする請求項２記載の枕。
【請求項５】
前記エアクッションは、境界部を挟んで複数の空気袋本体を備え、各空気袋本体のそれぞれの内部に三次元立体編物が配置されており、展開状態で又は境界部から折り曲げて使用可能であることを特徴とする請求項４記載の枕。
【請求項６】
前記エアクッションは、前記空気袋本体を２つ備えたものであることを特徴とする請求項５記載の枕。
【請求項７】
前記エアクッションは、境界部から折り曲げて空気袋本体同士を重ね合わせた際に、前記三次元立体編物を複数枚積層してなるクッション材よりも狭い幅となる大きさで形成されており、
前記エアクッションを境界部から折り曲げた状態で下層に配置し、前記三次元立体編物を複数枚積層してなるクッション材を上層に配置し、
頭部の当接位置に応じて、下層に配置したエアクッションを支点として前後に揺動可能であることを特徴とする請求項５又は６記載の枕。
【発明の詳細な説明】
【技術分野】
【０００１】
本発明は枕に関する。
【背景技術】
【０００２】
特許文献１には、快適な睡眠を実現するため、低反発ウレタンフォーム部材を多重スペーサー布帛（三次元立体編物）で被覆した枕が開示されている。低反発ウレタンフォームにそのまま頭部を載置した場合と比較し、三次元立体編物を有していることから糸間の隙間を介して通気性を高めることができるというものである。
【特許文献１】実用新案登録第３０９４９１０号公報
【発明の開示】
【発明が解決しようとする課題】
【０００３】
しかしながら、特許文献１に開示された枕は、低反発ウレタンフォームの弾性を主として利用する構造であり、三次元立体編物は基本的には通気性を確保するためのカバーとして使用しているに過ぎない。このため、三次元立体編物は、低反発ウレタンフォームの表面を被覆するように１枚使用する使用例が開示されているだけである。この種の枕は、低反発ウレタンフォームを、頭部形状に沿うように沈み込ませて使用するものであるため、三次元立体編物を複数枚積層して用いたりすると、低反発ウレタンフォームによる頭部形状に沿った沈み込みの作用を損なうことになる。従って、特許文献１では、薄手の三次元立体編物を１枚使用するのが限度であり、頭部の左右及び前後方向への通気しか確保できない。【０００４】
一般に理想の寝床内温度は２９℃と言われている。接触面以外での頭部下の温度も同様であり、体の動きの少ない状態では過度の温度上昇を抑え、寝返り時には速やかに空気を拡散して蓄熱を抑制し、できるだけ２９℃に近い状態で維持できる枕が理想的である。しかるに、特許文献１の構成ではこれを実現することは困難である。【０００５】
本発明は上記に鑑みなされたものであり、三次元立体編物をカバー部材内に収容するクッション材として用いることにより、より高い通気性を備え、快適な睡眠を確保できる枕を提供することを課題とする。また、三次元立体編物を備えてなるクッション材に、負荷の荷重変化のみで空気を自動的に吸引・排出可能なエアクッションを組み合わせることで、通気性能をさらに高めることができると共に、三次元立体編物のバネ性だけでなく、エア排気による減衰機能も作用させて頭部を安定してかつ快適に支持できる枕を提供することを課題とする。
【課題を解決するための手段】
【０００６】
上記課題を解決するため、本発明では、通気性を有するカバー部材と、該カバー部材内に収容される充填材とを備えてなる枕であって、前記充填材として、三次元立体編物を複数枚積層してなるクッション材を少なくとも一つ用いたことを特徴とする枕を提供する。
また、本発明では、前記充填材として、前記三次元立体編物を複数枚積層してなる少なくとも一つのクッション材に、負荷の荷重変化により空気を吸引・排出可能な少なくとも一つのエアクッションを重ね合わせて用いたことを特徴とする枕を提供する。
また、本発明では、前記三次元立体編物を複数枚積層してなるクッション材は、厚み方向に押圧した際のバネ定数が異なるもの同士を積層して形成されていることを特徴とする枕を提供する。
また、本発明では、前記エアクッションは、空気を吸引・排出する空気の流出入口を備えた空気袋本体と、前記空気袋本体内に配置される三次元立体編物とを備えて構成されることを特徴とする枕を提供する。
また、本発明では、前記エアクッションは、境界部を挟んで複数の空気袋本体を備え、各空気袋本体のそれぞれの内部に三次元立体編物が配置されており、展開状態で又は境界部から折り曲げて使用可能であることを特徴とする枕を提供する。
また、本発明では、前記エアクッションは、前記空気袋本体を２つ備えたものであることを特徴とする枕を提供する。
また、本発明では、前記エアクッションは、境界部から折り曲げて空気袋本体同士を重ね合わせた際に、前記三次元立体編物を複数枚積層してなるクッション材よりも狭い幅となる大きさで形成されており、前記エアクッションを境界部から折り曲げた状態で下層に配置し、前記三次元立体編物を複数枚積層してなるクッション材を上層に配置し、頭部の当接位置に応じて、下層に配置したエアクッションを支点として前後に揺動可能であることを特徴とする枕を提供する。
【発明の効果】
【０００７】
本発明の枕は、通気性を有するカバー部材内に充填される充填材として、三次元立体編物を複数枚積層してなるクッション材を少なくとも一つ用いた構成である。三次元立体編物を複数枚積層したものをクッション材として用いているため、空気は、頭部を中心とした左右及び前後方向だけでなく、上下方向にも容易に移動可能であり、高い通気性を確保できる。【０００８】
また、三次元立体編物を備えてなるクッション材に、負荷の荷重変化により空気を吸引・排出可能なエアクッションを重ね合わせて用いると、頭部の移動により、空気が自動的に吸引・排出されるため、三次元立体編物の糸間を通過する空気流の流れを促進し、通気機能をさらに高めることができる。また、頭部荷重がかかるとエアクッションから自動的にそれに応じたエアが排出されるため、三次元立体編物のバネ性に加え、エア排気による減衰機能が作用する。これにより、頭部を支持する際の緩衝力が高まると共に、頭部にフィットし安定して支持できる。【０００９】
また、本発明では、三次元立体編物を複数枚積層してなるクッション材、あるいはエアクッションをいずれもカバー部材内に充填される充填材として用いているため、その充填枚数や組み合わせを調整することができ、使用者の好みに合った特性とすることが容易である。
【図面の簡単な説明】
【００１０】
【図１】図１は、本発明の一の実施形態に係る枕を示し、（ａ）は外観図を、（ｂ）は（ａ）の矢印Ａで示した位置で切断した断面図である。
【図２】図２は、エアクッションを示す概略構成図である。
【図３】図３は、製品番号：４９０１１Ｄに係る三次元立体編物を測定台上に載置し、直径３０ｍｍの圧縮板により５０ｍｍ／分で厚み方向に１００Ｎまで加圧した際の荷重−たわみ特性を示す図である。
【図４】図４は、製品番号：４９０１１Ｄに係る三次元立体編物を測定台上に載置し、直径９８ｍｍの圧縮板により５０ｍｍ／分で厚み方向に１００Ｎまで加圧した際の荷重−たわみ特性を示す図である。
【図５】図５は、製品番号：４９０１１Ｄに係る三次元立体編物を測定台上に載置し、直径２００ｍｍの圧縮板により５０ｍｍ／分で厚み方向に１０００Ｎまで加圧した際の荷重−たわみ特性を示す図である。
【図６】図６は、製品番号：４９０１３Ｄに係る三次元立体編物を測定台上に載置し、直径３０ｍｍの圧縮板により５０ｍｍ／分で厚み方向に１００Ｎまで加圧した際の荷重−たわみ特性を示す図である。
【図７】図７は、製品番号：４９０１３Ｄに係る三次元立体編物を測定台上に載置し、直径９８ｍｍの圧縮板により５０ｍｍ／分で厚み方向に１００Ｎまで加圧した際の荷重−たわみ特性を示す図である。
【図８】図８は、製品番号：４９０１３Ｄに係る三次元立体編物を測定台上に載置し、直径２００ｍｍの圧縮板により５０ｍｍ／分で厚み方向に１０００Ｎまで加圧した際の荷重−たわみ特性を示す図である。
【図９】図９は、上記実施形態の枕全体の荷重−たわみ特性を測定した試験例１の測定方法を説明するための図であり、（ａ）は、カバー部材内に、エアクッションを展開状態で装填した場合を示し、（ｂ）は、カバー部材内に、エアクッションを２つ折りにして装填した場合を示す図である。
【図１０】図１０は、試験例１において、直径３０ｍｍの圧縮板により５０ｍｍ／分で１００Ｎまで加圧した際の荷重−たわみ特性を示す図である。
【図１１】図１１は、試験例１において、直径９８ｍｍの圧縮板により５０ｍｍ／分で１００Ｎまで加圧した際の荷重−たわみ特性を示す図である。
【図１２】図１２は、試験例１において、直径２００ｍｍの圧縮板により５０ｍｍ／分で１０００Ｎまで加圧した際の荷重−たわみ特性を示す図である。
【図１３】図１３は、試験例２の測定結果を示し、（ａ）は夏場の気温とほぼ同様の温度条件での測定結果であり、（ｂ）は冬場の気温とほぼ同様の温度条件での測定結果を示す図である。
【図１４】図１４は、試験例３の測定結果を示し、（ａ）は本発明のネット枕を使用した場合の測定結果を、（ｂ）は比較例のウレタン枕を使用した場合の測定結果を示す図である。
【図１５】図１５は、被験者の顔の温度、左右の手の温度の変化を測定した試験例４の測定結果を示し、（ａ）は、本発明のネット枕を使用した場合、（ｂ）は、比較例のウレタン枕（図では、「低反発枕」と表示）を使用した場合の測定結果を示す図である。
【図１６】図１６は、試験例４の被験者全員について、顔面温度と右手温度の実験前半（実験開始後２００秒から４００秒の間）における差、及び実験後半（実験開始後１４００秒から１６００秒の間の平均値）における差を示した図である。
【図１７】図１７（ａ），（ｂ）は、試験例４の被験者の一人である２０歳代女性の血流量の変動を示すグラフであり、図１７（ｃ），（ｄ）は、同じく試験例４の被験者の一人である２０歳代男性Ａの血流量の変動を示すグラフである。また、図１７（ａ），（ｃ）は、本発明のネット枕を使用した場合の測定結果を、図１７（ｂ），（ｄ）は、比較例のウレタン枕（図では、「低反発枕」と表示）を使用した場合の測定結果を示す。
【図１８】図１８は、試験例４における、本発明のネット枕と比較例のウレタン枕（図では、「低反発枕」と表示）の部位別温度の比較を示す図である。
【図１９】図１９（ａ）は、試験例４において、本発明のネット枕を使用した場合の脳波の分布率の時系列波形を示す図であり、図１９（ｂ）はそのときの心拍周波数の時系列波形を示す図である。
【図２０】図２０（ａ）は、試験例４において、比較例のウレタン枕を使用した場合の脳波の分布率の時系列波形を示す図であり、図２０（ｂ）はそのときの心拍周波数の時系列波形を示す図である。
【図２１】図２１（ａ）は、試験例４の２０歳代女性被験者が、本発明のネット枕を使用したときの指尖容積脈波の時系列信号から求めたパワー値の傾きの時系列波形の周波数解析結果を示す図であり、図２１（ｂ）は、最大リアプノフ指数の傾きの時系列波形の周波数解析結果を示す図である。
【図２２】図２２（ａ）は、試験例４の２０歳代女性被験者が、比較例のウレタン枕を使用したときの指尖容積脈波の時系列信号から求めたパワー値の傾きの時系列波形の周波数解析結果を示す図であり、図２２（ｂ）は、最大リアプノフ指数の傾きの時系列波形の周波数解析結果を示す図である。
【図２３】図２３（ａ）は、試験例４の２０歳代男性被験者Ａが、本発明のネット枕を使用したときの指尖容積脈波の時系列信号から求めたパワー値の傾きの時系列波形の周波数解析結果を示す図であり、図２３（ｂ）は、最大リアプノフ指数の傾きの時系列波形の周波数解析結果を示す図である。
【図２４】図２４（ａ）は、試験例４の２０歳代男性被験者Ａが、比較例のウレタン枕を使用したときの指尖容積脈波の時系列信号から求めたパワー値の傾きの時系列波形の周波数解析結果を示す図であり、図２４（ｂ）は、最大リアプノフ指数の傾きの時系列波形の周波数解析結果を示す図である。
【図２５】図２５は、４人の被験者の心拍周波数の変動を比較したものであり、図２５（ａ）はネット枕を使用した場合を、図２５（ｂ）はウレタン枕（図では、「低反発枕」と表示）を使用した場合を示す図である。
【符号の説明】
【００１１】
１  枕
２  カバー部材
３  充填材
１０  立体編物積層クッション材
１１，１２  三次元立体編物
２０  エアクッション
２１  境界部
２２，２３  空気袋本体
２２ａ，２３ａ  チューブ
２５  復元部材
２５ａ，２５ｂ，２５ｃ  三次元立体編物
２６  被覆材
【発明を実施するための最良の形態】
【００１２】
以下、図面に示した本発明の実施形態に基づき、本発明をさらに詳細に説明する。本実施形態の枕１は、カバー部材２と該カバー部材２内に収容される充填材３とを有して構成されている。【００１３】
カバー部材２は、通気性を有し、充填材３を収容可能な筒状、袋状等のものであればよい。例えば、通常の織布、不織布、２次元のネット状素材等であってもよいし、三次元立体編物から構成することもできる。【００１４】
充填材３は、本実施形態では、三次元立体編物を複数枚積層してなるクッション材（立体編物積層クッション材）１０とエアクッション２０とを用いて構成されている。立体編物積層クッション材１０は、２枚の三次元立体編物１１，１２を積層し、側縁部に沿って縫製等により一体化したものである。【００１５】
ここで、三次元立体編物１１，１２は、互いに離間して配置された一対のグランド編地と、該一対のグランド編地間を往復して両者を結合する多数の連結糸とを有する立体的な三次元構造となった編地である。一方のグランド編地は、例えば、単繊維を撚った糸から、ウェール方向及びコース方向のいずれの方向にも連続したフラットな編地組織（細目）によって形成され、他方のグランド編地は、例えば、短繊維を撚った糸から、ハニカム状（六角形）のメッシュを有する編み目構造に形成されている。もちろん、この編地組織は任意であり、細目組織やハニカム状以外の編地組織を採用することもできるし、両者とも細目組織を採用するなど、その組み合わせも任意である。連結糸は、一方のグランド編地と他方のグランド編地とが所定の間隔を保持するように、この一対のグランド編地間に編み込んだもので、三次元立体編物に所定の剛性を付与する。グランド編地を形成するグランド糸の太さは、三次元立体編物に必要な腰の強さを具備させることができると共に、編成作業が困難にならない範囲のものが選択される。【００１６】
グランド糸又は連結糸の素材としては、ポリプロピレン、ポリエステル、ポリアミド、ポリアクリロニトリル、レーヨン等の合成繊維や再生繊維、ウール、絹、綿等の天然繊維が挙げられるが、これらの素材は単独で用いてもよいし、これらを任意に併用することもできる。好ましくは、ポリエチレンテレフタレート（ＰＥＴ）、ポリブチレンテレフタレート（ＰＢＴ）などに代表される熱可塑性ポリエステル樹脂類、ナイロン６、ナイロン６６などに代表されるポリアミド樹脂類、ポリエチレン、ポリプロピレンなどに代表されるポリオレフィン樹脂類、ポリトリメチレンテレフタレート（ＰＴＴ）あるいはこれらの樹脂を２種類以上混合した樹脂である。なお、ポリエステル系樹脂はリサイクル性に優れており好適である。また、グランド糸又は連結糸の糸形状は限定されるものではなく、丸断面糸でも異形断面糸等でもよい。【００１７】
連結糸は、表層と裏層のグランド編地中にループ状の編み目を形成してもよく、挿入組織で表層と裏層のグランド編地に引っかけた構造でもよいが、少なくとも２本の連結糸が表層と裏層の編地を互いに逆方向に斜めに傾斜して、クロス状（Ｘ状）やトラス状に連結することが、三次元立体編物の形態安定性を向上させる上で好ましい。【００１８】
なお、三次元立体編物は、相対する２列の針床を有する編機で編成することができる。このような編機として、ダブルラッセル編機、ダブル丸編機、Ｖベッドを有する横編機等がある。寸法安定性のよい三次元立体編物を得る上で、ダブルラッセル編機を用いるのが好ましい。三次元立体編物は、編み上げられた生機を、精練、染色、ヒートセット等の工程を通して仕上げる。ヒートセットは、例えば、１５０℃で１分間の乾熱で行われ、平滑な面を有する平板状に仕上げられる。仕上げ加工が行われた三次元立体編物は、例えば、ロール状に巻回されて原反として提供され、使用する際には、ロール状に巻回された原反を所定長引き出し、所定形状に裁断されて用いられる。【００１９】
立体編物積層クッション材１０を構成する２枚の三次元立体編物１１，１２は、上記の構成を有するため、両者間の接触面に位置するグランド編地がその上下に位置する各連結糸の層と比較して相対的に硬い層となり、上側に位置する連結糸の層が当たり感を軽減する柔らかなバネ層となり、下側に位置する連結糸の層が、硬い層と柔らかなバネ層を弾性的に支持して底付きを抑制する支持バネ層の機能を持つ。この結果、２つのバネ層が直列に連結されることになり、各三次元立体編物１１，１２を単独で用いた場合よりも合成バネ定数が低くなり、反力の小さなバネ特性を実現できる。２つのバネ層を形成する各三次元立体編物１１，１２は、厚み方向に押圧した際のバネ定数が異なるもの、すなわち、相対的に一方のバネ定数が高く、他方のバネ定数が低いものを用いることが好ましい。これにより、表裏を調整することにより使用者の好みに合わせたバネ特性とすることができる。なお、バネ定数は、三次元立体編物を構成するグランド編地や連結糸の糸の太さ、グランド編地の編み目、連結糸の密度、三次元立体編物の厚さ等により調整することができる。【００２０】
三次元立体編物１１，１２としては、例えば、次のようなものを用いることができる。【００２１】
（１）製品番号：４９０１１Ｄ（住江織物（株）製）
材質：
グランド編地（縦糸）・・・６００デシテックス／１９２ｆのポリエチレンテレフタレート繊維仮撚加工糸
グランド編地（横糸）・・・３００デシテックス／７２ｆのポリエチレンテレフタレート繊維仮撚加工糸
連結糸・・・・・・・・・８００デシテックス／１ｆのポリエチレンテレフタレートモノフィラメント
原反幅：１０４０ｍｍ
厚み：１２ｍｍ【００２２】
（２）製品番号：４９０１３Ｄ（住江織物（株）製）
材質：
グランド編地・・・４５０デシテックス／１４４ｆのポリエチレンテレフタレート繊維仮撚加工糸
連結糸・・・・・・・・・３５０デシテックス／１ｆのポリトリメチレンテレフタレートモノフィラメント
原反幅：１０４０ｍｍ
厚み：９．８ｍｍ【００２３】
また、上記の製品番号：４９０１３Ｄよりも製品番号４９０１１Ｄの方が連結糸の配設密度は低い。このため、かかる２つの三次元立体編物の荷重−たわみ特性を比較すると、図３〜図８に示したように、直径３０ｍｍ、９８ｍｍ、２００ｍｍのいずれの圧縮板で加圧しても、４９０１３Ｄよりも４９０１１Ｄの方がバネ定数が低く、柔らかなバネ特性を有していた。【００２４】
図１（ｂ）に示したように、本実施形態では上記した立体編物積層クッション材１０を３組積層して使用しているが、その積層数は任意であり、使用者の好みに合わせて調整できる。【００２５】
エアクッション２０は、図２に示したように、本実施形態では、境界部２１を挟んでその両側に２つの空気袋本体２２，２３を備えている。境界部２１及び２つの空気袋本体２２，２３は、２枚の合成樹脂製シートを重ね合わせ、その周縁部を接合すると共に、中央ラインに沿って所定幅で接合することにより、一体に形成されたものである。各空気袋本体２２，２３の長手方向一端には、空気の流出入口となるチューブ２２ａ，２３ａが配設されている。また、各空気袋本体２２，２３の内部には、図１（ｂ）に示したように、復元部材２５として、三次元立体編物が適宜枚数積層されて配設されている。本実施形態の復元部材２５は、２枚の三次元立体編物２５ａ，２５ｂの両側部を接合して筒状に形成し、その内部に、短冊状の三次元立体編物２５ｃを収納して形成している。復元部材２５は、空気袋本体２２，２３が圧縮されて空気が排出された後、圧縮荷重の低下に伴って各三次元立体編物２５ａ〜２５ｃが復元し、空気袋本体２２，２３を膨張させて、チューブ２２ａ，２３ａを介して自動的に該空気袋本体２２，２３内に空気を吸引させる機能を果たす。【００２６】
空気袋本体２２，２３は、荷重がかかるとその荷重に応じて空気を排出し、それにより減衰機能が作用するため、立体編物積層クッション材１０と組み合わせて使用することで、該立体編物積層クッション材１０のバネ特性、空気袋本体２２，２３の空気排出時の減衰特性、並びに、空気袋本体２２，２３内に配設された三次元立体編物からなる復元部材２５のバネ特性が相乗的に作用し、反力の小さな柔らかなバネ特性でかつ衝撃吸収性も優れたクッション特性を機能させることができる。【００２７】
エアクッション２０を構成する空気袋本体は一つであってもよいが、本実施形態のように複数、好ましくは２つの空気袋本体２２，２３を有することにより、展開状態でカバー部材２内に収容して使用したり、境界部２１から折り曲げて空気袋本体２２，２３同士を重ね合わせて使用したりすることが可能となるため、使用者の好みに合わせてクッション特性や高さ等を調整できる。なお、本実施形態のエアクッション２０は、図１（ｂ）及び図２に示したように、２つの空気袋本体２２，２３を、織布や不織布等からなる外装用の任意の被覆材２６により被覆した構成としている。これは、エアクッション２０を単独で取引した際の外観の装飾性を考慮したものである。但し、エアクッション２０のクッション特性をより柔らかくするために、被覆材２６も薄手の三次元立体編物を用いることが好ましい。【００２８】
エアクッション２０の全体の大きさは、カバー部材２内に収容可能である限り限定されるものではないが、境界部２１から２つ折りにした際の幅が、立体編物積層クッション材１０よりも狭い幅となる大きさであることが好ましい。図１（ｂ）に示したように、下層に２つ折りにしたエアクッション２０を配設し、その上層に上記立体編物積層クッション材１０を配設すると、頭部の当接位置に応じて、下層に配置したエアクッション２０がいわば支点の役目を果たし、荷重のかかり具合により前後に揺動可能になる。この結果、カバー部材２内において、２つ折りにしたエアクッション２０の両側部に生じる隙間の空気が動きやすくなり、通気性をより向上させることができる。【００２９】
本実施形態によれば、三次元立体編物１１，１２を積層してなる立体編物積層クッション材１０をカバー部材２内に装填する充填材３として使用している。従って、空気の移動は、頭部の左右方向、前後方向だけでなく、立体編物積層クッション材１０の厚み方向にも円滑になされるため、高い通気性が確保される。しかも、バネ定数の異なるバネ層が直列に連結された構造となっているため、柔らかなバネ感で頭部にフィットできる。また、本実施形態では、エアクッション２０と組み合わせているため、その減衰作用により頭部との当接時の衝撃を緩衝できると共に、空気の流れを促進できる。【００３０】
（試験例１）
図９に示したように、厚さ３．１ｍｍの三次元立体編物からなるカバー部材２内に、上記実施形態の立体編物積層クッション材１０を３組重ね合わせて装填すると共に、その下層に、厚さ３．１ｍｍの三次元立体編物を被覆材２６として用いたエアクッション２０を展開状態で装填した場合（図９（ａ））と、２つ折りにして装填した場合（図９）（ｂ））について、直径３０ｍｍ、９８ｍｍ、２００ｍｍの圧縮板で加圧して、荷重−たわみ特性を測定した。結果を図１０〜図１２に示す。なお、直径３０ｍｍ，９８ｍｍの圧縮板で加圧した際の荷重−たわみ特性を示す図１０及び図１１においては、成人男性の臀部筋肉を直径３０ｍｍ，９８ｍｍの圧縮板で加圧した際の荷重−たわみ特性も合わせて表示する。【００３１】
図１０〜図１２に示したように、エアクッション２０を展開状態で装填した場合（平置き格納時）と、２つ折りにして装填した場合（２つ折り格納時）のいずれの場合も、エアクッション２０を２つ折りにした場合の方がバネ定数が小さく、柔らかなバネ特性を有していた。従って、エアクッション２０の収容の仕方により、使用者の好みに合わせたクッション特性に調整できることがわかる。また、直径３０ｍｍ，９８ｍｍの圧縮板で加圧した荷重−たわみ特性を見ると、いずれの場合も臀部筋肉の荷重−たわみ特性よりもバネ定数が小さいか、あるいはほぼ同程度となっている。すなわち、いずれの場合も、人の筋肉の荷重−たわみ特性に近似した傾向を有している。このため、血管に対する外圧、内圧が近似し、血管への圧迫が少なく、血流阻害が生じにくいことがわかる。【００３２】
（試験例２）
試験例１においてエアクッション２０を２つ折りにしてカバー部材２内に装填した本発明の枕（ネット枕）と、市販の低反発ウレタンからなる比較例の枕（ウレタン枕）に、被験者として３０歳代の日本人成人男性を仰臥させ、頭部に接している枕表面の温度が３５℃に至った時点で離床させ、その後の枕表面の温度変化の様子を調べた。なお、カバー部材２は、いずれも同じものを使用した。図１３（ａ）は、実験室内を２４℃に制御し、図１３（ｂ）は、実験室内を２０℃に制御して測定したものであり、前者は夏場を、後者は冬場の気温条件を想定したものである。【００３３】
図１３（ａ），（ｂ）から、本発明のネット枕は、いずれの場合も、被験者の離床後、快適な睡眠を実現する寝床内温度である２９℃付近に、ウレタン枕よりも速やかに温度が近づいていることがわかる。すなわち、本発明のネット枕は、所定の寝姿勢から寝返りを打つと、速やかに温度が低下するため、再び元の寝姿勢に復帰した際の心地よさに優れており、快適な睡眠を提供可能であるといえる。【００３４】
（試験例３）
試験例２において使用した本発明のネット枕と比較例のウレタン枕に試験例２と同じ被験者を仰臥させ、５０分間の睡眠実験を行った。被験者には脳波計（日本光電工業（株）製）を装着し、睡眠深度を測定した。結果を図１４（ａ），（ｂ）に示す。図１４（ａ）に示したように、本発明のネット枕は、３０分過ぎには睡眠深度３〜４に至っており、短時間のうちに深い睡眠が得られている。これに対し、比較例のウレタン枕の場合には、図１４（ｂ）に示したように、睡眠深度１と２の間を行き来するだけであり、本発明のネット枕と比較して浅い眠りしか得られていない。【００３５】
（試験例４）
試験例２により、本発明のネット枕が、快適な睡眠を提供可能であることがわかったが、そのさらなる裏付けのため、さらに複数の被験者によって睡眠実験を行った。被験者は、健康な２０歳代の日本人女性（冷え症）、健康な２０歳代の日本人男性Ａ，Ｂ、及び健康な３０歳代の日本人男性の計４名である。各被験者を、試験例２で使用した本発明のネット枕、比較例のウレタン枕を使用して仰臥させ、３０分間睡眠させた。なお、敷き布団は、いずれも三次元立体編物から作られたもので、実験室は、室温２５〜２７℃、湿度５０〜６０％に制御した静かな部屋であり、８月〜９月の午後１時〜４時の間で行った。本睡眠実験の結果は、４人の被験者がほぼ同じ傾向を示した。そこで、以下において、場合により、代表例を用いて説明する。【００３６】
まず、図１５（ａ），（ｂ）は、抹消系の手の温度と頭部（顔面）付近の温度との比較を行ったもので、２０歳代女性のデータである。図１５（ａ）が本発明のネット枕を使用した場合、図１５（ｂ）がウレタン枕を使用した場合である。【００３７】
図１５（ａ）から、本発明のネット枕では、顔面の温度が３５度前後の比較的低い温度で保たれており、右手、左手の温度がそれよりも高い３６．５度〜３７度付近でほぼ安定して推移し、快適な睡眠環境が得られていることがわかる。これに対し、図１５（ｂ）を見ると、顔の温度が比較的高めの３７．５度付近に保たれており、しかも、抹消系の各手の温度は、顔面の温度よりも低く、かつ、時間経過と共に低下する傾向があり、抹消系の血流が良好とは言えず、快適な睡眠環境が得難いことがわかる。【００３８】
図１６は、４人の被験者全員について、顔面温度と右手温度の実験前半（実験開始後２００秒から４００秒の間）における差、及び実験後半（実験開始後１４００秒から１６００秒の間の平均値）における差を示したものである。この図から、いずれの被験者も、比較例のウレタン枕（図では、「低反発枕」と表示）では、右手の温度に比べて顔面の温度の方が高く、しかも、時間経過と共にその差が大きくなっているのに対し、本発明のネット枕では、右手の温度の方が顔面の温度よりも高くなっている。すなわち、本発明のネット枕は、抹消系の手足の温度の低下が押さえられ、冷え性対策に有効であると考えられる。【００３９】
図１７（ａ），（ｂ）は、２０歳代女性の血流量の変動を示すグラフであり、図１７（ｃ），（ｄ）は、２０歳代男性Ａの血流量の変動を示すグラフである。これらのグラフから、いずれも、本発明のネット枕を使用した場合には、血流量が安定状態を保っているのに対し、比較例のウレタン枕（図では、「低反発枕」と表示）を使用した場合には、血流量が低下していく傾向や乱れを示した。より詳細には、図１７（ｂ）の２０歳代女性の場合は、冷え症であることから、時間経過と共に血流量が低下しており、本発明のネット枕を使用した場合と比較して眠りの質が悪いことがわかる。図１７（ｄ）の２０歳代男性Ａの場合は、途中で急激に血流量が上昇しているが、これは、ウレタン枕（低反発枕）の蒸れによる寝苦しさから、頭を移動させようとして寝返りをうったものであり、これも、本発明のネット枕を使用した場合と比較して眠りの質が悪いと言える。また、血流量の絶対値は、比較例のウレタン枕に比べて、ネット枕の方が大きくなる傾向にあった。【００４０】
図１８は、本発明のネット枕と比較例のウレタン枕（図では、「低反発枕」と表示）の部位別温度の比較を示す。これは、被験者４人の平均値のデータである。ネット枕は、実験開始早々に表面部から中心部に熱が移動し、表面部と中心部の温度差が小さくなった。また、表面部から下部への熱の移動は小さく、実験終了間際でも、表面部と下部の温度差は大きい。すなわち、本発明のネット枕は、熱の拡散性は高いが保温性もあることがわかる。一方、比較例のウレタン枕（低反発枕）は、中心部から下部への熱の移動は少なく、表面部に蓄熱する傾向があり、ネット枕よりも蒸れやすいことがわかる。【００４１】
被験者の睡眠状況を検証するため、本試験の際に、同時に、被験者に脳波計（日本光電工業（株）製）を装着して脳波を測定し、θ波、α波、β波の分布率の時系列変化を求めると共に、心拍周波数の時系列変化も求めた。図１９が本発明のネット枕の結果であり、図２０が比較例のウレタン枕の結果である。【００４２】
図１９（ａ）及び図２０（ａ）の脳波の時系列変化を比較すると、本発明のネット枕の方が、θ波の分布率が高い一方で、覚醒時に主に出現するβ波の分布率が速やかに低下していることがわかる。これに対し、比較例のウレタン枕では、β波が一旦上昇した後、低下しているものの、分布率約１０％以上であり、また、θ波の分布率も低いままであることから、被験者の眠りが浅かったことがわかる。【００４３】
また、図１９（ｂ）及び図２０（ｂ）の心拍周波数の時系列変化を比較した場合、睡眠時の心拍の安定的な周波数が１．１であるところ、本発明のネット枕では、１．１付近で推移しているのに対し、比較例のウレタン枕では、１．２〜１．０５の間で変化しており、安定していない。このことからも、本発明のネット枕の方が、深い眠りが得られることがわかる。【００４４】
図２１〜図２４は、実験中に採取した被験者の指尖容積脈波の解析結果を示し、採取した指尖容積脈波の時系列信号を用いて、パワー値の傾きの時系列波形と最大リアプノフ指数の傾きの時系列波形を作成し、得られた時系列波形の周波数解析を行った図である。なお、パワー値の傾きの時系列波形と最大リアプノフ指数の傾きの時系列波形の算出は、本出願人が特開２００４−３４４６１２において提案した手法を利用したものである。具体的には、検出された指尖容積脈波の時系列信号について、それぞれ、ＳａｖｉｔｚｋｙとＧｏｌａｙによる平滑化微分法により、極大値と極小値を求める。そして、５秒ごとに極大値と極小値を切り分け、それぞれの平均値を求める。求めた極大値と極小値のそれぞれの平均値の差の二乗をパワー値とし、このパワー値を５秒ごとにプロットし、パワー値の時系列波形を作る。この時系列波形からパワー値の大域的な変化を読み取るために、ある時間幅Ｔｗ（１８０秒）について最小二乗法でパワー値の傾きを求める。次に、オーバーラップ時間Ｔｌ（１６２秒）で次の時間幅Ｔｗを同様に計算して結果をプロットする。この計算（スライド計算）を順次繰り返して得られるのがパワー値の傾きの時系列波形となる。最大リアプノフ指数の傾きの時系列波形も同様であり、検出された指尖容積脈波の時系列信号をそれぞれカオス解析して最大リアプノフ指数を算出した後、上記と同様に、平滑化微分によって極大値と極小値を求め、スライド計算することにより得られる。【００４５】
パワー値の傾きの時系列波形は、主に脈圧の状態変化に関連し、最大リアプノフ指数の傾きの時系列波形は、主に血流量の状態変化に関連する。そして、これらの周波数分析では、睡眠前と睡眠後の覚醒状態とを比較した際に、睡眠前の覚醒状態のピーク値に対し、睡眠後の覚醒状態のピーク値が、該ピークの周波数値及びパワースペクトラムの少なくともいずれか一方の値が大きくなる方向に変化していると、睡眠によって肉体的又は精神的に活性化されたことを示し、逆の方向に変化していると、肉体的又は精神的な疲労を生じ、人体機能が低下していることを示す。【００４６】
２０歳代女性被験者は、図２１（ａ），（ｂ）に示したように、ネット枕を使用した場合には、いずれの周波数分析においても値が大きくなる方向、すなわち、ピーク値がより高周波に移行するか、あるいはパワースペクトラムの値が大きくなるように変化しており、質のよい睡眠をとったことにより活性化されていることがわかる。これに対し、ウレタン枕を使用した場合には、図２２（ａ），（ｂ）に示したように、いずれも値が小さくなる方向、すなわち、ピーク値がより低周波に移行するか、パワースペクトラムの値が小さくなるように変化しており、良質な睡眠がとれなかったことがわかる。図２３及び図２４は、２０歳代男性被験者Ａの周波数分析結果であるが、２０歳代女性被験者とほぼ同様の傾向であることがわかる。【００４７】
図２５は、４人の被験者の心拍周波数の変動を比較したものである。図２５（ａ）のネット枕の場合には、４人とも、周波数が徐々に低下して次第に安定するのに対し、図２５（ｂ）のウレタン枕（図では、「低反発枕」と表示）の場合には、いずれも周波数変動が大きい。これは、頭部にこもった熱を拡散するため、寝返りをうつなどの動きがあることによるものである。
【産業上の利用可能性】
【００４８】
上記実施形態にかかる立体編物積層クッション材１０を用いた構成、並びに、立体編物積層クッション材１０にエアクッション２０を組み合わせた構成は、枕に限らず、各種の人体支持構造、例えば、マットレス、マットレスや敷き布団等に重ねて敷くオーバレイなどにおいても応用可能である。また、上記実施形態では、荷重がかかると空気を排出し、圧縮荷重の低下に伴って空気を自動的に吸引するエアクッション２０を用いているが、このように常時空気の流出入がなされるものではなく、所定量の空気を溜めたままにしておく密閉構造のエアクッション（図示せず）を、さらにカバー部材内に１つ以上、あるいは、これらを適宜に折り曲げた状態で配設することもできる。このような密閉構造のエアクッションを配設することにより、ポンプ（図示せず）を用いて該エアクッションに充填する空気量を調整することで、枕の高さ調整を容易に行うことができると共に、それによりクッション特性を調整することも可能である。
【図１】
2007055152.tif 000003
【図２】
2007055152.tif 000004
【図３】
2007055152.tif 000005
【図４】
2007055152.tif 000006
【図５】
2007055152.tif 000007
【図６】
2007055152.tif 000008
【図７】
2007055152.tif 000009
【図８】
2007055152.tif 000010
【図９】
2007055152.tif 000011
【図１０】
2007055152.tif 000012
【図１１】
2007055152.tif 000013
【図１２】
2007055152.tif 000014
【図１３】
2007055152.tif 000015
【図１４】
2007055152.tif 000016
【図１５】
2007055152.tif 000017
【図１６】
2007055152.tif 000018
【図１７】
2007055152.tif 000019
【図１８】
2007055152.tif 000020
【図１９】
2007055152.tif 000021
【図２０】
2007055152.tif 000022
【図２１】
2007055152.tif 000023
【図２２】
2007055152.tif 000024
【図２３】
2007055152.tif 000025
【図２４】
2007055152.tif 000026
【図２５】
2007055152.tif 000027
【国際調査報告】
2007055152.tif 000028
2007055152.tif 000029
2007055152.tif 000030
2007055152.tif 000031